(57)【要約】【課題】ＬＥＤ光源を備えた車両用灯具において、ＬＥＤ光源からの光を灯具照射光として効率良く利用し、かつ灯具照射光の制御を適切に行えるようにする。【解決手段】灯具前方へ向けて配置されたＬＥＤ光源１２からの光を入射させるように透光部材１４を配置し、この透光部材１４に入射したＬＥＤ出射光を、その前面１４Ａで後方へ反射させた後その後面１４Ｂで前方へ反射させて該透光部材１４から灯具前方へ出射させる構成とする。その際、前面１４Ａにおける光軸Ａｘの近傍に位置する領域は反射面処理が施された通常反射部１４Ａ１として構成し、それ以外の領域はＬＥＤ出射光を内面反射させる内面反射部１４Ａ２として構成する。また、透光部材１４の後面１４Ｂには、前面１４Ａで反射したＬＥＤ出射光を、その内面反射部１４Ａ２に臨界角以下の入射角で入射させるように反射させる複数の反射素子１４ｓを形成する。【選択図】　　　　　図４
2004039503.tif 000002
【特許請求の範囲】
【請求項１】
灯具前方へ向けて配置されたＬＥＤ光源と、このＬＥＤ光源からの光を入射させるように配置された透光部材とを備えてなり、この透光部材に入射した上記ＬＥＤ光源からの光を、該透光部材の前面で後方へ反射させた後、該透光部材の後面で前方へ反射させて該透光部材から灯具前方へ出射させるように構成された車両用灯具において、
上記透光部材の前面における上記ＬＥＤ光源の光軸の近傍に位置する領域が、反射面処理が施された通常反射部として構成されるとともに、上記透光部材の前面における上記通常反射部以外の領域が、該透光部材に入射した上記ＬＥＤ光源からの光を内面反射させる内面反射部として構成されており、
上記透光部材の後面に、該透光部材の前面で反射した上記ＬＥＤ光源からの光を、上記内面反射部に臨界角以下の入射角で入射させるように反射させる複数の反射素子が形成されている、ことを特徴とする車両用灯具。
【請求項２】
上記通常反射部が、上記光軸を中心とする略ロート状の回転曲面で構成されており、
上記内面反射部が、上記光軸を中心とする略円環ドーム状の回転曲面で構成されている、ことを特徴とする請求項１記載の車両用灯具。
【請求項３】
上記通常反射部と上記内面反射部とが、連続した曲面で構成されている、ことを特徴とする請求項１または２記載の車両用灯具。
【請求項４】
上記通常反射部と上記内面反射部との境界線の位置が、上記透光部材の前面に入射する上記ＬＥＤ光源からの光の入射角が略臨界角となる位置に設定されている、ことを特徴とする請求項３記載の車両用灯具。
【請求項５】
上記複数の反射素子が、上記ＬＥＤ光源の発光中心位置よりも後方側に形成されている、ことを特徴とする請求項１〜４いずれか記載の車両用灯具。
【発明の詳細な説明】
【０００１】
【発明の属する技術分野】
本願発明は、ＬＥＤ（発光ダイオード）光源を備えた車両用灯具に関するものである。
【０００２】
【従来の技術】
近年、ＬＥＤ光源を備えた車両用灯具が多く採用されている。その際、実開昭６１−１５３２０１号公報には、ＬＥＤ光源を灯具前方へ向けて配置するとともに、このＬＥＤ光源からの光を入射させるように透光部材を配置し、この透光部材に入射したＬＥＤ光源からの光を、その前面で後方へ反射させた後その後面で前方へ反射させて該透光部材から灯具前方へ出射させるように構成された車両用灯具が記載されている。
【０００３】
このような車両用灯具においては、透光部材の前面に入射するＬＥＤ光源からの光のうち、ＬＥＤ光源の光軸に対して大角度で入射する光については、これを内面反射により後方へ反射させることができるが、上記光軸に対して小角度で入射する光については、入射角が臨界角以下になってしまうので、これを内面反射により後方へ反射させることができない。
【０００４】
これに対し、上記公報にも記載されているように、透光部材の前面における上記光軸の近傍に位置する領域を断面楔形の凹部として形成すれば、ＬＥＤ光源からの光をこの楔形凹部に対して臨界角を超える角度で入射させることが可能となる。そしてこれにより、ＬＥＤ光源からの光を灯具照射光として効率良く利用することが可能となる。
【０００５】
【発明が解決しようとする課題】
しかしながら、このような灯具構成を採用した場合には、透光部材の後面において、上記楔形凹部で内面反射した光（楔形凹部反射光）が入射する領域が、透光部材の前面における上記楔形凹部以外の部分で内面反射した光（一般部反射光）が入射する領域と重複してしまうので、透光部材の後面形状を一般部反射光に対して適切な反射制御を行い得るように設定すると、楔形凹部反射光に対しては適切な反射制御を行うことができなくなってしまう、という問題がある。
【０００６】
本願発明は、このような事情に鑑みてなされたものであって、ＬＥＤ光源を備えた車両用灯具において、ＬＥＤ光源からの光を灯具照射光として効率良く利用することができ、かつ灯具照射光の制御を適切に行うことができる車両用灯具を提供することを目的とするものである。
【０００７】
【課題を解決するための手段】
本願発明は、透光部材の前面の構成に工夫を施すことにより、上記目的達成を図るようにしたものである。
【０００８】
すなわち、本願発明に係る車両用灯具は、
灯具前方へ向けて配置されたＬＥＤ光源と、このＬＥＤ光源からの光を入射させるように配置された透光部材とを備えてなり、この透光部材に入射した上記ＬＥＤ光源からの光を、該透光部材の前面で後方へ反射させた後、該透光部材の後面で前方へ反射させて該透光部材から灯具前方へ出射させるように構成された車両用灯具において、
上記透光部材の前面における上記ＬＥＤ光源の光軸の近傍に位置する領域が、反射面処理が施された通常反射部として構成されるとともに、上記透光部材の前面における上記通常反射部以外の領域が、該透光部材に入射した上記ＬＥＤ光源からの光を内面反射させる内面反射部として構成されており、
上記透光部材の後面に、該透光部材の前面で反射した上記ＬＥＤ光源からの光を、上記内面反射部に臨界角以下の入射角で入射させるように反射させる複数の反射素子が形成されている、ことを特徴とするものである。
【０００９】
上記「車両用灯具」は、特定種類の車両用灯具に限定されるものではなく、例えば、テールランプ、ストップランプ等が採用可能である。
【００１０】
上記「透光部材」は、透光性を有する部材であれば、その材質は特に限定されるものではなく、例えば、透明な合成樹脂で構成されたものやガラスで構成されたもの等が採用可能である。
【００１１】
上記「通常反射部」および「内面反射部」の形成範囲およびその具体的な面形状等は特に限定されるものではない。
【００１２】
上記各「反射素子」は、透光部材の前面で反射したＬＥＤ光源からの光を内面反射部に臨界角以下の入射角で入射させるように反射させる構成のものであれば、その反射面形状は特に限定されるものではなく、例えば、透光部材の前面からの光を単に正反射させるように構成されたものであってもよいし、透光部材の前面からの光を拡散反射させるように構成されたものであってもよい。
【００１３】
【発明の作用効果】
上記構成に示すように、本願発明に係る車両用灯具は、灯具前方へ向けて配置されたＬＥＤ光源からの光を入射させるように透光部材を配置し、この透光部材に入射したＬＥＤ光源からの光を、その前面で後方へ反射させた後その後面で前方へ反射させて該透光部材から灯具前方へ出射させるように構成されているが、この透光部材の前面におけるＬＥＤ光源の光軸の近傍に位置する領域が、反射面処理が施された通常反射部として構成されるとともに、その前面における通常反射部以外の領域が、該透光部材に入射したＬＥＤ光源からの光を内面反射させる内面反射部として構成されており、そして、透光部材の後面には、該透光部材の前面で反射したＬＥＤ光源からの光を、その内面反射部に臨界角以下の入射角で入射させるように反射させる複数の反射素子が形成されているので、次のような作用効果を得ることができる。
【００１４】
すなわち、反射面処理が施された通常反射部に関しては、透光部材に入射したＬＥＤ光源からの光を該通常反射部に対して臨界角以下の入射角で入射させるようにした場合においても、これを確実に反射させることができるので、その面形状を自由に設定することが可能となる。このため、透光部材の後面において、通常反射部で反射した光が入射する領域と、内面反射部で内面反射した光が入射する領域とを、互いに重複しないように設定することも容易に可能となり、これにより透光部材の後面による反射制御を適切に行うことが可能となる。
【００１５】
したがって本願発明によれば、ＬＥＤ光源を備えた車両用灯具において、ＬＥＤ光源からの光を灯具照射光として効率良く利用することができ、かつ灯具照射光の制御を適切に行うことができる。
【００１６】
上記「通常反射部」および「内面反射部」の面形状が特に限定されないことは上述したとおりであるが、通常反射部を、上記光軸を中心とする略ロート状の回転曲面で構成するとともに、内面反射部を、上記光軸を中心とする略円環ドーム状の回転曲面で構成するようにすれば、次のような作用効果を得ることができる。
【００１７】
すなわち、ＬＥＤ光源からの光を、上記光軸の全周にわたって透光部材の前面で反射させてその後面に入射させることができるので、１つのＬＥＤ光源で広い発光面積を確保することができる。しかも、ＬＥＤ光源を灯具中央に配置することができるので、灯具の外形形状を自由に設定することができる。
【００１８】
上記構成において、通常反射部と内面反射部とを連続した曲面で構成すれば、透光部材の後面において、通常反射部で反射した光が入射する領域と内面反射部で内面反射した光が入射する領域とを、互いに重複も分離もさせることなく隣接させることができる。そしてこれにより、ＬＥＤ光源を点灯させた状態で車両用灯具を前方から観察したとき、透光部材の後面に帯状の暗部等が発生してしまうおそれをなくすことができる。
【００１９】
その際、通常反射部と内面反射部との境界線の位置を、透光部材の前面に入射するＬＥＤ光源からの光の入射角が略臨界角となる位置に設定すれば、次のような作用効果を得ることができる。
【００２０】
すなわち、ＬＥＤ光源を点灯させた状態で車両用灯具を前方から観察したとき、反射面処理が施された通常反射部は暗く見えてしまうので、反射面処理の形成範囲はできるだけ小さくすることが好ましい。そこで、通常反射部と内面反射部との境界線の位置を、透光部材の前面に入射するＬＥＤ光源からの光の入射角が略臨界角となる位置に設定すれば、ＬＥＤ光源からの光を透光部材の前面で略漏れなく後方へ反射させるようにした上で、通常反射部の大きさを最小限に設定することができる。
【００２１】
また上記構成において、透光部材の後面に形成された複数の反射素子をＬＥＤ光源の発光中心位置よりも後方側に形成すれば、ＬＥＤ光源およびこれを支持する基板等を透光部材の後面から後方へ大きく突出させないように配置することができ、これにより灯具の薄型化を図ることができる。
【００２２】
【発明の実施の形態】
以下、図面を用いて、本願発明の一実施形態について説明する。
【００２３】
図１は、本実施形態に係る車両用灯具を示す正面図であり、図２は、図１のＩＩ−ＩＩ　線断面図であり、図３および４は、図２の要部詳細図である。
【００２４】
これらの図に示すように、本実施形態に係る車両用灯具１０は、車両後端部に設けられるテールランプであって、ＬＥＤ光源１２と、透光部材１４とを備えてなっている。
【００２５】
ＬＥＤ光源１２は、その光軸Ａｘを車両前後方向に延びる灯具中心軸に一致させるようにして灯具前方（車両としては「後方」、以下同様）へ向けて配置されている。このＬＥＤ光源１２は、ＬＥＤ本体（ＬＥＤチップ）１２Ａと、このＬＥＤ本体１２Ａの発光中心Ｏを略半球状に覆う封止樹脂１２Ｂとからなり、基板１６に固定されている。
【００２６】
透光部材１４は、略ドーム状に形成された透明な合成樹脂成形品（例えばアクリル樹脂成形品）からなり、ＬＥＤ光源１２を前方側から覆うように配置されている。そして、この透光部材１４は、該透光部材１４に入射したＬＥＤ光源１２からの光を、該透光部材１４の前面１４Ａで後方へ反射させた後、該透光部材１４の後面１４Ｂで前方へ反射させて該透光部材１４から灯具前方へ出射させるように構成されている。
【００２７】
この透光部材１４の後面１４Ｂの中央部には、ＬＥＤ光源１２からの光（以下「ＬＥＤ出射光」ともいう）を入射させる光入射用凹部１４ａが形成されている。この光入射用凹部１４ａは、発光中心Ｏを球面状に囲むように形成されている。これによりＬＥＤ出射光は、光入射用凹部１４ａに対して垂直に入射した後、透光部材１４内をそのまま直進する。
【００２８】
透光部材１４の前面１４Ａにおける光軸Ａｘの近傍に位置する領域は、アルミニウム蒸着等による反射面処理が施された通常反射部１４Ａ１として構成されている。一方、透光部材１４の前面１４Ａにおける通常反射部１４Ａ１以外の領域は、該透光部材１４に入射したＬＥＤ出射光を内面反射させる内面反射部１４Ａ２として構成されている。
【００２９】
通常反射部１４Ａ１は、光軸Ａｘを中心とする略ロート状の回転曲面で構成されており、一方、内面反射部１４Ａ２は、光軸Ａｘを中心とする略円環ドーム状の回転曲面で構成されている。これら通常反射部１４Ａ１と内面反射部１４Ａ２とは連続した曲面で構成されており、その境界線Ｌの位置は、透光部材１４の前面１４Ａに入射するＬＥＤ出射光の入射角θが略臨界角（４２°程度）となる位置に設定されている。
【００３０】
本実施形態においては、透光部材１４の前面１４Ａの境界線Ｌ上における法線方向が光軸Ａｘと平行な方向に設定されている。したがって、境界線Ｌの位置に入射するＬＥＤ出射光の光軸Ａｘとなす角度も、境界線Ｌ上におけるＬＥＤ出射光の入射角θと同じ値となる。
【００３１】
また本実施形態においては、光軸Ａｘを含む平面内における通常反射部１４Ａ１の断面形状が、発光中心Ｏを焦点とする放物線形状に設定されており、一方、上記平面内における内面反射部１４Ａ２の断面形状が、発光中心Ｏを焦点とする双曲線形状に設定されている。
【００３２】
図３に示すように、透光部材１４の前面１４Ａで反射したＬＥＤ出射光のうち、通常反射部１４Ａ１で反射したＬＥＤ出射光は、透光部材１４の後面１４Ｂにおける内周側領域１４Ｂ１に入射し、内面反射部１４Ａ２で反射したＬＥＤ出射光は、透光部材１４の後面１４Ｂにおける外周側領域１４Ｂ２に入射する。
【００３３】
透光部材１４の後面１４Ｂにおける光入射用凹部１４ａの周囲には、環状凹部１４ｂが形成されており、そして、この環状凹部１４ｂの周囲には、複数の反射素子１４ｓが形成されている。これら反射素子１４ｓは、ＬＥＤ光源１２の発光中心位置Ｏよりも後方側に位置する光軸Ａｘと直交する平面上において、透光部材１４の後面１４Ｂを放射状に区分けするとともに同心状に区分けするようにして等間隔で鋸歯状に配置されている。この透光部材１４の後面１４Ｂにおける光入射用凹部１４ａ以外の部分には、アルミニウム蒸着等による反射面処理が施されている。
【００３４】
各反射素子１４ｓは、光軸Ａｘに関して径方向および円周方向に所定の曲率を有する凸曲面状に形成されており、これにより図４に示すように、透光部材１４の前面１４ＡからのＬＥＤ出射光を、光軸Ａｘに関して径方向および円周方向に拡散反射させるようになっている。その際、各反射素子１４ｓの表面形状は、透光部材１４の前面１４Ａで反射したＬＥＤ出射光を、該反射素子１４ｓでの反射により内面反射部１４Ａ２に臨界角以下の入射角で入射させるように形成されている。
【００３５】
図５は、本実施形態に係る車両用灯具１０を、そのＬＥＤ光源１２を点灯させた状態で示す正面図である。
【００３６】
図示のように、車両用灯具１０を正面方向から観察したとき、その透光部材１４の後面１４Ｂを構成する複数の反射素子１４ｓが同時に散点的に光って見える。その際、各反射素子１４ｓは凸曲面状に形成されているので、その略中央部分が光輝部Ｂ１、Ｂ２として明るく光って見えるが、透光部材１４の後面１４Ｂにおける内周側領域１４Ｂ１からの反射光の光束発散度は、外周側領域１４Ｂ２からの反射光の光束発散度に比して大きいので、内周側領域１４Ｂ１の光輝部Ｂ１の方が外周側領域１４Ｂ２の光輝部Ｂ２よりも明るく光って見える。
【００３７】
灯具正面方向から視点を多少ずらした場合においても、各反射素子１４ｓが凸曲面状に形成されていることから、各反射素子１４ｓは視点移動量に応じてその略中央部分からずれた部分が光輝部Ｂ１、Ｂ２として明るく光って見える。
【００３８】
以上詳述したように、本実施形態に係る車両用灯具１０は、灯具前方へ向けて配置されたＬＥＤ光源１２からの光を入射させるように透光部材１４を配置し、この透光部材１４に入射したＬＥＤ出射光を、その前面１４Ａで後方へ反射させた後その後面１４Ｂで前方へ反射させて該透光部材１４から灯具前方へ出射させるように構成されているが、この透光部材１４の前面１４Ａにおける光軸Ａｘの近傍に位置する領域が、反射面処理が施された通常反射部１４Ａ１として構成されるとともに、その前面１４Ａにおける通常反射部１４Ａ１以外の領域が、該透光部材１４に入射したＬＥＤ出射光を内面反射させる内面反射部１４Ａ２として構成されており、そして、透光部材１４の後面１４Ｂには、該透光部材１４の前面１４Ａで反射したＬＥＤ出射光を、その内面反射部１４Ａ２に臨界角以下の入射角で入射させるように反射させる複数の反射素子１４ｓが形成されているので、次のような作用効果を得ることができる。
【００３９】
すなわち、反射面処理が施された通常反射部１４Ａ１に関しては、ＬＥＤ出射光を該通常反射部１４Ａ１に対して臨界角以下の入射角で入射させるようにした場合においても、これを確実に反射させることができるので、その面形状を自由に設定することが可能となる。このため、透光部材１４の後面１４Ｂにおいて、通常反射部１４Ａ１で反射した光が入射する領域（内周側領域１４Ｂ１）と、内面反射部で内面反射した光が入射する領域（外周側領域１４Ｂ２）とを、互いに重複しないように設定することも容易に可能となり、これにより透光部材１４の後面１４Ｂによる反射制御を適切に行うことが可能となる。
【００４０】
したがって本実施形態によれば、ＬＥＤ出射光を灯具照射光として効率良く利用することができ、かつ灯具照射光の制御を適切に行うことができる。
【００４１】
特に本実施形態においては、通常反射部１４Ａ１が光軸Ａｘを中心とする略ロート状の回転曲面で構成されるとともに、内面反射部１４Ａ２が光軸Ａｘを中心とする略円環ドーム状の回転曲面で構成されているので、次のような作用効果を得ることができる。
【００４２】
すなわち、ＬＥＤ出射光を、光軸Ａｘの全周にわたって透光部材１４の前面１４Ａで反射させてその後面１４Ｂに入射させることができるので、１つのＬＥＤ光源１２で広い発光面積を確保することができる。しかも、ＬＥＤ光源１２を灯具中央に配置することができるので、灯具の外形形状を自由に設定することができる。
【００４３】
また本実施形態においては、通常反射部１４Ａ１と内面反射部１４Ａ２とが連続した曲面で構成されているので、透光部材１４の後面１４Ｂにおいて、通常反射部１４Ａ１で反射した光が入射する領域と内面反射部１４Ａ２で内面反射した光が入射する領域とを、内周側領域１４Ｂ１および外周側領域１４Ｂ２として互いに重複も分離もさせることなく隣接させることができる。そしてこれにより、ＬＥＤ光源１２を点灯させた状態で車両用灯具１０を前方から観察したとき、透光部材１４の後面１４Ｂに帯状の暗部等が発生してしまうおそれをなくすことができる。
【００４４】
その際、本実施形態においては、通常反射部１４Ａ１と内面反射部１４Ａ２との境界線Ｌの位置が、透光部材１４の前面１４Ａに入射するＬＥＤ出射光の入射角θが略臨界角となる位置に設定されているので、ＬＥＤ出射光を透光部材１４の前面１４Ａで略漏れなく後方へ反射させるようにした上で、通常反射部１４Ａ１の大きさを最小限に設定することができる。
【００４５】
また本実施形態においては、透光部材１４の後面１４Ｂに形成された複数の反射素子１４ｓがＬＥＤ光源１２の発光中心位置Ｏよりも後方側に形成されているので、ＬＥＤ光源１２およびこれを支持する基板１６を透光部材１４の後面１４Ｂから後方へ大きく突出させないように配置することができ、これにより灯具の薄型化を図ることができる。
【００４６】
なお本実施形態においては、透光部材１４の前面１４Ａの境界線Ｌ上における法線方向が光軸Ａｘと平行な方向に設定されているものとして説明したが、このように設定することは必ずしも必要ではなく、灯具サイズ等に応じて適宜設定することが可能である。
【００４７】
また本実施形態においては、光軸Ａｘを含む平面内における通常反射部１４Ａ１の断面形状が、発光中心Ｏを焦点とする放物線形状に設定されており、一方、上記平面内における内面反射部１４Ａ２の断面形状が、発光中心Ｏを焦点とする双曲線形状に設定されているが、これら以外の断面形状を採用することももちろん可能である。
【００４８】
次に、上記実施形態の第１変形例について説明する。
【００４９】
図６は、本変形例に係る透光部材２４を示す、図４と同様の図である。
【００５０】
図示のように、この透光部材２４は、その光入射用凹部２４ａの構成が上記実施形態の透光部材１４の光入射用凹部１４ａと異なっている。
【００５１】
すなわち、この透光部材２４の光入射用凹部２４ａは、有底円筒状に形成されている。そして、この光入射用凹部２４ａとＬＥＤ光源１２の封止樹脂１２Ｂとの間には、透明な充填剤２６が充填されている。この充填剤２６は、透光部材２４と屈折率が略等しい合成樹脂材料からなっている。この透光部材２４においては、ＬＥＤ出射光が充填剤２６を介して該透光部材２４内をＬＥＤ光源１２の発光中心Ｏから放射状に直進することとなる。
【００５２】
この透光部材２４の前面２４Ａを構成する通常反射部２４Ａ１および内面反射部２４Ａ２、ならびに該透光部材２４の後面２４Ｂに形成された複数の反射素子２４ｓは、上記実施形態の透光部材１４と全く同じ形状に設定されている。
【００５３】
本変形例の構成を採用した場合においても、上記実施形態と同様の作用効果を得ることができる。
【００５４】
しかも本変形例においては、光入射用凹部２４ａとＬＥＤ光源１２の封止樹脂１２Ｂとの間に透光部材２４と屈折率が略等しい充填剤２６が充填されているので、充填剤２６と透光部材２４との間の界面でほとんど屈折することがなく、したがって透光部材２４の光入射用凹部２４ａの形状を任意に設定することが可能となる。なお本変形例においては、光入射用凹部２４ａが有底円筒状という単純な形状に設定されているが、これ以外の形状に設定することももちろん可能である。
【００５５】
次に、上記実施形態の第２変形例について説明する。
【００５６】
図７は、本変形例に係る透光部材３４を示す、図４と同様の図である。
【００５７】
図示のように、この透光部材３４は、その光入射用凹部３４ａの構成が上記実施形態の透光部材１４の光入射用凹部１４Ａと異なっている。
【００５８】
すなわち、この透光部材３４は、その光入射用凹部３４ａがＬＥＤ光源１２の封止樹脂１２Ｂと密着するように形成されている。この透光部材３４においては、ＬＥＤ出射光が該透光部材４４内をＬＥＤ光源１２の発光中心Ｏから放射状に直進することとなる。
【００５９】
この透光部材３４の前面３４Ａを構成する通常反射部３４Ａ１および内面反射部３４Ａ２、ならびに該透光部材３４の後面３４Ｂに形成された複数の反射素子３４ｓは、上記実施形態の透光部材１４と全く同じ形状に設定されている。
【００６０】
本変形例の構成を採用した場合においても、上記実施形態と同様の作用効果を得ることができる。
【００６１】
しかも本変形例においては、透光部材３４の光入射用凹部３４ａがＬＥＤ光源１２の封止樹脂１２Ｂと密着するように形成されているので、透光部材３４をインサート成形等により容易に形成することができ、しかも透光部材３４の位置精度を高めることができる。
【００６２】
次に、上記実施形態の第３変形例について説明する。
【００６３】
図８は、本変形例に係る透光部材４４を示す、図４と同様の図である。
【００６４】
図示のように、この透光部材４４は、ＬＥＤ光源１２のＬＥＤ本体１２Ａを封止するようにして封止樹脂１２Ｂ（図４参照）と一体で構成されており、上記実施形態の透光部材１４のような光入射用凹部１４ａ（図４参照）は形成されていない。この透光部材４４においては、ＬＥＤ出射光が該透光部材４４内をＬＥＤ光源１２の発光中心Ｏから放射状に直進することとなる。
【００６５】
この透光部材４４の前面４４Ａを構成する通常反射部４４Ａ１および内面反射部４４Ａ２、ならびに該透光部材４４の後面４４Ｂに形成された複数の反射素子４４ｓは、上記実施形態の透光部材１４と全く同じ形状に設定されている。
【００６６】
本変形例の構成を採用した場合においても、上記実施形態と同様の作用効果を得ることができる。
【００６７】
しかも本変形例においては、透光部材４４がＬＥＤ光源１２の封止樹脂１２Ｂと一体で構成されているので、部品点数を削減することができるとともに、透光部材４４の位置精度を高めることができる。
【００６８】
次に、上記実施形態の第４および第５変形例について説明する。
【００６９】
図９および１０は、これら各変形例に係る透光部材５４、６４を示す、図５と同様の図である。
【００７０】
これらの図に示すように、第４および第５変形例に係る透光部材５４、６４は、その後面５４Ｂ、６４Ｂに形成された複数の反射素子５４ｓ、６４ｓの配列が上記実施形態の透光部材１４と異なっている。
【００７１】
すなわち、これら各透光部材５４、６４は、上記実施形態の透光部材１４と同様、後面５４Ｂ、６４Ｂが放射状および同心状に区分けされており、その各々に反射素子５４ｓ、６４ｓが割り付けられているが、その際、第４変形例においては各反射素子５４ｓの位置が径方向１ピッチおきに周方向に半ピッチずれており、一方、第５変形例においては各反射素子６４ｓの位置が周方向１ピッチおきに径方向に半ピッチずれている。
【００７２】
なお、これら各反射素子５４ｓ、６４ｓが、光軸Ａｘに関して径方向および円周方向に所定の曲率を有する凸曲面状に形成されている点については、上記実施形態と同様である。また、透光部材５４、６４における各反射素子５４ｓ、６４ｓ以外の部分の構成についても、上記実施形態と同様である。
【００７３】
ＬＥＤ光源１２を点灯させた状態で透光部材５４、６４を正面方向から観察したとき、その後面５４Ｂ、６４Ｂを構成する各反射素子５４ｓ、６４ｓの略中央部分が光輝部Ｂ１、Ｂ２として明るく光って見えるが、これら各反射素子５４ｓ、６４ｓの配列は上記実施形態と異なっているので、これら各変形例においては上記実施形態とは趣の異なる見え方をそれぞれ実現することができる。
【００７４】
上記実施形態および各変形例においては、車両用灯具１０がテールランプである場合について説明したが、これ以外の車両用灯具（例えば、ストップランプ、テール＆ストップランプ、クリアランスランプ、ターンシグナルランプ等）である場合においても、上記実施形態および各変形例と同様の構成を採用することにより、これらと同様の作用効果を得ることができる。
【図面の簡単な説明】
【図１】本願発明の一実施形態に係る車両用灯具を示す正面図
【図２】図１のＩＩ−ＩＩ　線断面図
【図３】図２の要部詳細図（その１）
【図４】図２の要部詳細図（その２）
【図５】上記車両用灯具を点灯状態で示す正面図
【図６】上記実施形態の第１変形例に係る透光部材を示す、図４と同様の図
【図７】上記実施形態の第２変形例に係る透光部材を示す、図４と同様の図
【図８】上記実施形態の第３変形例に係る透光部材を示す、図４と同様の図
【図９】上記実施形態の第４変形例に係る透光部材を示す、図５と同様の図
【図１０】上記実施形態の第５変形例に係る透光部材を示す、図５と同様の図
【符号の説明】
１０　車両用灯具
１２　ＬＥＤ光源
１２Ａ　ＬＥＤ本体
１２Ｂ　封止樹脂
１４、２４、３４、４４、５４、６４　透光部材
１４Ａ、２４Ａ、３４Ａ、４４Ａ　前面
１４Ａ１、２４Ａ１、３４Ａ１、４４Ａ１　通常反射部
１４Ａ２、２４Ａ２、３４Ａ２、４４Ａ２　内面反射部
１４Ｂ、２４Ｂ、３４Ｂ、４４Ｂ、５４Ｂ、６４Ｂ　後面
１４Ｂ１　内周側領域
１４Ｂ２　外周側領域
１４ａ、２４ａ、３４ａ　光入射用凹部
１４ｂ　環状凹部
１４ｓ、２４ｓ、３４ｓ、４４ｓ、５４ｓ、６４ｓ　反射素子
１６　基板
２６　充填剤
Ａｘ　光軸
Ｂ１、Ｂ２　光輝部
Ｏ　発光中心
【図１】
2004039503.tif 000003
【図２】
2004039503.tif 000004
【図３】
2004039503.tif 000005
【図４】
2004039503.tif 000006
【図５】
2004039503.tif 000007
【図６】
2004039503.tif 000008
【図７】
2004039503.tif 000009
【図８】
2004039503.tif 000010
【図９】
2004039503.tif 000011
【図１０】
2004039503.tif 000012